(57)【要約】【課題】建造物の屋上や壁面、法面等の緑化に好適に用いることができる緑化用コケ植物担持体を提供する。【解決手段】ポリビニルアルコールを担持用シートに含有させ、ポリビニルアルコールが有する粘接着性により、コケ植物配偶体が脱落し易い配置初期の段階において、緑化用コケ植物担持体からの脱落するのを防止すると共に、ポリビニルアルコールが降雨等により漸進的に分解されて溶出し消滅することで、コケ植物は屋上面、壁面、法面等の緑化対象物に付着するのが容易となる。またポリビニルアルコールは分解されても中性であることから、アルカリ性の物質を発生することがなく、コケ植物の生育を阻害することがない。【参照図】図１
2004057132.tif 000002
【特許請求の範囲】
【請求項１】
コケ植物配偶体が、ポリビニルアルコールを用いて形成された担持用シートに固定されていることを特徴とする緑化用コケ植物担持体。
【請求項２】
担持用シートは、繊維を含むことを特徴とする請求項１に記載の緑化用コケ植物担持体。
【請求項３】
コケ植物配偶体は、コケ植物が付着可能な程度の凹凸を有する表面を有する基板と、水溶性のシートとの間に配置されたものであって、基板及び水溶性のシートの少なくともいずれか一つがポリビニルアルコールを用いて形成されていることを特徴とする緑化用コケ植物担持体。
【請求項４】
請求項１〜３のいずれかに記載の緑化用コケ植物担持体が基材に取り付けられ、該基材は生分解性樹脂を用いて形成されたものであることを特徴とする緑化用コケ植物担持体。
【請求項５】
基材は、繊維の集合体であることを特徴とする請求項４に記載の緑化用コケ植物担持体。
【請求項６】
繊維の集合体は、不織布であることを特徴とする請求項５に記載の緑化用コケ植物担持体。
【請求項７】
請求項１〜６のいずれかに記載の緑化用コケ植物担持体に、コケ植物への太陽光の入射が妨げられない程度に間隔をおいて人工芝を取り付けたことを特徴とする緑化用コケ植物担持体。
【発明の詳細な説明】
【０００１】
【発明の属する技術分野】
本発明は、建造物の屋上や、壁面、法面等をコケ植物により緑化するのに好適に用いることができる緑化用コケ植物担持体に関するものである。
【０００２】
【従来の技術】
夏場において、とりわけ大都市においては、都心の温度が郊外と較べ４〜６度も高くなる、所謂ヒートアイランド現象が問題視されており、例えば東京都においては、既に条例により建造物の占める面積に対し、一定の割合で緑化を義務づける条例が施行されている区も出てきている。
【０００３】
建造物において、緑化を行うのであれば、緑化が可能な部位は屋上か壁面に限られる。これらの箇所に樹木や芝生等の土壌を必要とする植物を用いて緑化を行うのでは、屋上においては土壌の重量を建造物が支えることができない場合には緑化できないということになり、壁面においては、植栽枡を設ける等、複雑な機構を必要とするものとなる。
【０００４】
コケ植物を用いて緑化を行うことで、従来用いられてきた例えば樹木や芝生、セダム等の多肉植物などとは異なり、殆ど土壌を必要とすることなく生育させて構造物の屋上や壁面等を緑地とすることができる。またコケ植物は保水性が高く、保持した水分や、その水分の蒸散により建造物の温度を下げてヒートアイランド現象の軽減を図ることができる。
【０００５】
また乾燥状態が続いても仮死状態となるのみで枯死することがなく、降雨等により再度水が与えられれば再生することから灌水する必要がなく、従って灌水に係わる設備も必要としない。更には光合成の効率も樹木や芝生と大差ないものであることから、炭酸ガスの固定化にも高いレベルで貢献できるものである。
【０００６】
これらのコケ植物の特性を活用し、緑化に用いるべく種々の発明が提案されてきており、シート状やマット状にコケ植物担持体を形成し、それらを屋上や壁面に取り付けたり、またコケ植物を含有した塗料を、壁面や法面に吹き付けるといった方法が提案されてきている。
【０００７】
例えば、特開平７−２２７１４３号においては、コケ植物を紙繊維に固定した緑化用固定物ものが開示されており、特開平７−２２７１４２号においては、コケ植物を基板平面状に縫製部によって固定されている緑化用基板が開示されている。これらのシート状の緑化用固定物や緑化用シートは、対象物に貼着等により固定しておくことで容易に緑化が可能なものであり、屋上や壁面、法面等に好適に用いることができるものである。
【０００８】
【発明が解決しようとする課題】
しかしながら、コケ植物を紙繊維に固定したり、縫製部によって固定する方法では、コケ植物が緑化用固定物や緑化用基板から脱落する恐れがある。特に設置した直後においては、コケ植物の密度も低い状態であり脱落が起こりやすく、更には固定物自体や、縫製部が形成されていない基板の一部が欠落する恐れもある。
【０００９】
更に、コケ植物を紙繊維に固定するのでは、コケ植物と緑化対象物との間に介在する水溶性の紙が雨水等により融解することで、コケ植物は緑化対象物へ固着されるが、水溶性の紙は一般に融解する際にはアルカリ成分を発生するものであり、そのアルカリ成分はコケ植物の生育を阻害するものであった。
【００１０】
また、コケ植物は、緑化に対しては前述の如く極めて有用なものであるが、一般人が通常抱いている印象は必ずしも良好なものではなく、その原因の多くは外観的なものである。モスグリーンという言葉があるように、一般の樹木や芝生と較べ、黒に近い緑色をしていることから、一面に緑化されても一般の樹木や芝生により緑化されたものと較べ、暗い印象を与える場合がある。
【００１１】
本発明は上記の如き課題を解決し、建造物の屋上や壁面、法面等の緑化に好適に用いることができる緑化用コケ植物担持体を提供せんとするものである。
【００１２】
【課題を解決するための手段】
上記の目的を達成するため、本発明は以下のような構成としている。すなわち、本発明に係わる緑化用コケ植物担持体は、ポリビニルアルコールを用いて形成された担持用シートに固定されていることを特徴とするものである。
【００１３】
本発明によれば、担持用シートに含まれるポリビニルアルコールが有する粘接着性により、コケ植物配偶体が脱落し易い配置初期の段階において、緑化用コケ植物担持体からの脱落するのを防止すると共に、ポリビニルアルコールが降雨等により漸進的に分解されて溶出し消滅することで、コケ植物は屋上面、壁面、法面等の緑化対象物に付着するのが容易となる。またポリビニルアルコールは分解されても中性であることから、アルカリ性の物質を発生することがなく、コケ植物の生育を阻害することがない。
【００１４】
また前記担持用シートは、繊維を含むことを特徴とするものである。
【００１５】
また本発明に係わる緑化用コケ植物担持体は、コケ植物が付着可能な程度の凹凸を有する表面を有する基板と、水溶性のシートとの間に配置されたものであって、基板及び水溶性のシートの少なくともいずれか一つがポリビニルアルコールを用いて形成されていることを特徴とするものである。
【００１６】
本発明によれば、上述のポリビニルアルコールを用いて担持用シートを形成した場合の効果に加え、水溶性のシートをポリビニルアルコールを用いて形成すれば、設置の初期段階における基板からのコケ植物の脱落を防止し、コケ植物が基板に付着するのを補助することができる。また基板をポリビニルアルコールを用いて形成すれば、コケ植物が一旦基板に付着させて脱落することがなくなり、その基板が漸進的に分解されてコケ植物が緑化対象物に近づけられることで、コケ植物は脱落する恐れが小さく効率的に緑化対象物を緑化することができる。
【００１７】
また本発明に係わる緑化用コケ植物担持体は、本発明請求項１〜３のいずれかに記載の緑化用コケ植物担持体が基材に取り付けられ、該基材は生分解性樹脂を用いて形成されたものであることを特徴とするものである。
【００１８】
また前記基材は、繊維の集合体であることを特徴とするものである。
【００１９】
また前記繊維の集合体は、不織布であることを特徴とするものである。
【００２０】
更にまた本発明に係わる緑化用コケ植物担持体は、本発明請求項１〜５のいずれかに記載の緑化用コケ植物担持体に、コケ植物への太陽光の入射が妨げられない程度に間隔をおいて人工芝を取り付けたことを特徴とするものである。
【００２１】
本発明によれば、コケ植物配偶体を担持したシートに、太陽光の入射が妨げられない程度に人工芝を取り付けることで、緑化用コケ植物担持体はコケ植物の生育や光合成を妨げることなく、人工芝が持つ青々とした外観を具備させたものとなり得る。また、人工芝を取り付けることで、コケ植物の外力からの保護、乾燥の抑制、風からの保護等を図ることができ、コケ植物の定着や生育を促進することができる。
【００２２】
【発明の実施の形態】
本発明に係わる実施の形態について、図面に基づき以下に具体的に説明する。図１は本発明に係わる実施の一形態を示す説明図である。担持用シート１はポリビニルアルコールを用いて形成されていることで粘接着性を有するものとなり、コケ植物配偶体３（本図においては層状のものとして記載される）はその粘接着性により本図ａ）に示す如く担持用シート１に固定され、緑化用コケ植物担持体１０が形成される。コケ植物配偶体３を担持用シート１に固定する際には、担持用シート１を軟化する程度に加熱して粘接着性を高めてもよく、コケ植物配偶体３を担持用シート１に物理的に押しつけて食い込ませるように固定してもよく、また本図ｂ）に示す如く、複数の担持用シート１の間にコケ植物配偶体３を配置して固定してもよい。
【００２３】
かかる担持用シート１を用いてコケ植物配偶体３を固定することで、担持用シート１に含まれるポリビニルアルコールが有する粘接着性により、コケ植物配偶体３が脱落し易い配置初期の段階において、緑化用コケ植物担持体１０からの脱落するのを防止すると共に、ポリビニルアルコールが降雨等により漸進的に分解されて溶出し消滅することで、コケ植物は屋上面、壁面、法面等の緑化対象物に付着するのが容易となる。またポリビニルアルコールは分解されても中性であることから、アルカリ性の物質を発生することがなく、コケ植物の生育を阻害することがない。
【００２４】
また担持用シート１は繊維を含むものであってもよい。繊維を含有させて担持用シート１を形成しておくことで、担持用シート１中のポリビニルアルコールがコケ植物が充分に緑化対象物に付着していない状態で分解されても、繊維が蜘蛛の巣状に残ることでコケ植物配偶体３の脱落を防止できる。また、繊維を分解性のものとすれば、繊維の分解時間及び配合量によって担持用シート１の残存時間を制御することができる。
【００２５】
図２及び図３は、本発明に係わる緑化用コケ植物担持体の実施の一形態を示すもので、図２は斜視図、図３は断面図である。まず図１において、コケ植物配偶体（図１においては図示せず）は、繊維の集合体で不織布である基板２と、その両面に設けられた水溶性のシート１ａ及び１ｂとの間に配置されて緑化用コケ植物担持体１０となされている。
【００２６】
図３に示す如く、コケ植物配偶体３は、水溶性のシート１ａ及び１ｂと基板２との間に配置されると共に、その一部が繊維２１間の空隙に嵌入されている。基板２は不織布であることから、その表面に凹凸が存在し、コケ植物の付着は容易となる。またコケ植物配偶体３の一部を基板２が有する空隙部に嵌入させることは、装置等を用いることなく容易に可能であり、また基板２の空隙内に嵌入されたコケ植物配偶体３が成長し、体積が増加すると共に根が繊維と絡むことで繊維２１と一体化し、水溶性のシート１ａが消滅した後でも基板２からの脱落が起こりにくくなる。コケ植物配偶体３は成長するまで、両面に貼着された水溶性のシート１ａ及び１ｂにより保護され、また基板２からの脱落も防止される。
【００２７】
かかる緑化用コケ植物担持体１０を屋上面や壁面、法面等の緑化対象物に設置するに当たっては、基板２側を緑化対象物に当接させ、ビスや釘、ステープル等を用いて固定するが、外面側の水溶性のシート１ａがポリビニルアルコールを用いて形成されていれば、水溶性のシート１ａは降雨等により漸進的に分解されて溶解し、コケ植物配偶体３がある程度生長した段階で消滅してコケ植物配偶体３への太陽光の入射を妨げることがなくなる。
【００２８】
また、基板２、基板２側の水溶性シート１ｂをポリビニルアルコールを用いて形成すれば、同じく降雨等により漸進的に消滅し、コケ植物配偶体３が緑化対象物の面に当接し、緑化対象物の面に直接付着することで、基板２が劣化してもコケ植物配偶体３は緑化対象物から脱落することがなくなる。更にポリビニルアルコールは分解されて溶解される際にも溶液は中性のものを発生するのみで、コケ植物配偶体３の生育を阻害するアルカリ性や強酸性の物質を発生することがない。
【００２９】
更にポリビニルアルコールを含有するものであれば、軟化、溶融の状態で粘接着性は更に高められ、水溶性のシート１ａ、１ｂ、基板２及びコケ植物配偶体３を強固に一体化させるのに、例えば積層した状態で熱プレスをかけるといった、別途接着剤を用いることなく容易な方法で一体化させることが可能であり、且つコケ植物配偶体３の脱落を確実に防止することができる。
【００３０】
また、ポリビニルアルコールを用いて形成した基板２及び／又は水溶性のシート１ａ、１ｂは、繊維を混合したものであってもよい。ポリビニルアルコールのみを用いて形成したシートやフィルムは、屋外に設置されるとほぼ完全に分解され、設置された状況により分解速度が変化し、その分解速度を制御することも困難であったが、繊維を混合することでポリビニルアルコールが分解されて消滅した後に繊維が残るようにすることができ、その繊維によりコケ植物配偶体３の脱落を防止することができる。
【００３１】
更に、前記基板２の繊維２１は、生分解性樹脂を用いて形成すれば、コケ植物配偶体３が成長し、基板２が不要となった場合でも基板２は自然に分解されて消滅し、残存することがなく回収や廃棄の手間をなくすることができ、また緑化対象物の面にはコケ植物のみが残り、外観上余分なものを排除することができる。
【００３２】
図４は、本発明に係わる実施の一形態を示すもので、例えば図１〜図３に示した如き緑化用コケ植物担持体に、コケ植物への太陽光の入射が妨げられない程度に人工芝が取り付けられたものを示す説明図である。緑化用コケ植物担持体１０には裏打ち材５が設けられ、緑化用コケ植物担持体１０の表面から突設する如く、且つメッシュ状に人工芝６が植設されたものである。
【００３３】
人工芝６は土壌や灌水を必要とせず、周囲の状況や時間の経過に伴う外観や形状の変化が少ないものであることから、長期間に亘って設置による以下に挙げる如き効果を維持することができる。本実施形態において人工芝６はメッシュ状に植設されており、全面を覆っている状態ではないことから、コケ植物への太陽光の入射はそれ程妨げられず、且つコケ植物シート２ｃの表面より突設されていることから、側方や斜め上方から見た時にはコケ植物シート２ｃの表面がある程度隠され、外観は人工芝６の持つ青々とした明るい緑色に近いものとなる。更にはとりわけコケ植物が乾燥したときに起こる外観の悪化の程度を軽減することができる。
【００３４】
また、コケ植物が乾燥し、強風等により断片的に飛散し易い状態となっても、飛散しようとするコケ植物の断片を人工芝６が受け止めることで、飛散による緑化対象物の面からのコケ植物の減少や、周囲へのコケ植物の飛散を防止することができる。
【００３５】
【発明の効果】
本発明によれば、コケ植物が付着可能な程度の凹凸を有する基板の表面と、水溶性のシートとの間にコケ植物配偶体を配置し、その基板及び水溶性のシートの内、少なくともいずれか一つをポリビニルアルコールを用いて形成することで、コケ植物配偶体が基板から脱落し易い表面への配置初期の段階において、水溶性のシートにより基板から脱落するのを防止すると共に、基板や水溶性のシートが降雨等により漸進的に分解されて溶出し消滅することで、コケ植物は緑化対象物に付着するのが容易となる。またポリビニルアルコールは分解されても中性の溶液を発生するのみであるから、アルカリ性の物質を発生することがなく、コケ植物の生育を阻害することがない。
【図面の簡単な説明】
【図１】本発明に係わる緑化用コケ植物担持体の、実施の一形態を示す説明図である。
【図２】本発明に係わる緑化用コケ植物担持体の、他の実施形態を示す説明図である。
【図３】図２に示した実施形態の断面図である。
【図４】本発明に係わる人工芝を取り付けた緑化用コケ植物担持体の、実施の一形態を示す斜視図である。
【符号の説明】
１　　水溶性のシート
２　　基板
２１　繊維
３　　コケ植物配偶体
４　　人工芝
１０　緑化用コケ植物担持体
【図１】
2004057132.tif 000003
【図２】
2004057132.tif 000004
【図３】
2004057132.tif 000005
【図４】
2004057132.tif 000006